(57)【要約】【課題】ポリエステル系樹脂の吸水時の弾性変化が小さい点や、耐久性が優れるという特性を維持しつつ、しかも適度な柔軟性を備えたブラシ用材、およびこの毛材を用いた歯ブラシ、化粧ブラシ、ボデイブラシおよび筆具などの提供。【解決手段】ポリプロピレンテレフタレート５〜４５重量％およびポリプロピレンテレフタレート以外のポリエステル系樹脂９５〜５５重量％の混合物を溶融紡糸したモノフィラメントブリッスルからなるブラシ用毛材。【選択図】　なし【特許請求の範囲】
【請求項１】
ポリプロピレンテレフタレート５〜４５重量％およびポリプロピレンテレフタレート以外のポリエステル系樹脂９５〜５５重量％を混合し溶融紡糸したモノフィラメントブリッスルから成ることを特徴とするブラシ用毛材。
【請求項２】
前記ポリプロピレンテレフタレート以外のポリエステル系樹脂がポリブチレンテレフタレートであることを特徴とする請求項１に記載のブラシ用毛材。
【請求項３】
前記モノフィラメントブリッスルの少なくとも片端がテーパー形状であることを特徴とする請求項１または２に記載のブラシ用毛材。
【請求項４】
請求項１〜３のいずれか１項に記載のブラシ用毛材を基台に植毛したことを特徴とする歯ブラシ。
【請求項５】
請求項１〜３のいずれか１項に記載のブラシ用毛材を基台に植毛したことを特徴とする化粧ブラシ。
【請求項６】
請求項１〜３のいずれか１項に記載のブラシ用毛材を基台に植毛したことを特徴とするボディブラシ。
【請求項７】
請求項１〜３のいずれか１項に記載のブラシ用毛材を基台に植毛したことを特徴とする筆具。
【発明の詳細な説明】
【０００１】
【発明の属する技術分野】
本発明は、合成樹脂製のブラシ用毛材およびその用途に関し、さらに詳しくは、従来のポリエステル系樹脂製の毛材に比べて適度な柔軟性を有し、しかも耐久性を向上させたブラシ用毛材、およびこの毛材の用途、具体的にはこのブラシ用毛材を用いた歯ブラシ、化粧ブラシ、ボデイブラシなどのトイレタリー用ブラシおよび画筆や毛筆などの筆具などに関するものである。
【０００２】
【従来の技術】
合成樹脂モノフィラメントからなるカットブリッスルは、トイレタリーブラシや筆などのいわゆる獣毛調毛材の代替用毛材として、従来から広く用いられている。
【０００３】
具体的には、柔軟性が適度であることから、ポリアミド、特にポリアミド６・１０やポリアミド６・１２を材質とするブラシ用毛材（例えば、特許文献１参照）が一般的に用いられているが、このポリアミド製ブラシ用毛材は、吸湿による弾性変化が大きく毛腰が変化しやすいばかりか、耐久性がやや低く、特に歯ブラシにおいては、繰り返しの使用によって比較的早期に毛が開きを使用できなくなるという欠点があった。
【０００４】
上記の欠点を補うものとして、ポリエステル系樹脂、特にポリブチレンテレフタレートを材質とするブラシ用毛材（例えば、特許文献２参照）が提案されており、このブラシ用毛材によれば、吸湿率が小さいため吸水による弾性率変化はほとんどなく、また耐久性も向上するばかりか、先端をアルカリにより溶解させてテーパー形状に先鋭化し、歯ブラシにおける歯間挿入性を向上させたり、筆具において獣毛に近い筆先のまとまりを与えたりすることが可能であるという利点が得られる反面、ポリアミド製のブラシ用毛材に比べてやや毛腰が強くなるため、特に歯ブラシに使用した場合の使用感が劣るという問題点を包含していた。
【０００５】
また、上記と同じポリエステル系樹脂であるポリプロピレンテレフタレートを素材とするブラシ用毛材（例えば、特許文献３参照）も提案されおり、このブラシ用毛材によれば、優れた耐久性を示すことが示されているが、反面毛腰が弱く、歯ブラシに使用した場合の清掃性、特に歯間挿入性が劣るばかりか、使用者の清掃感が不十分であるという問題点を包含していた。
【０００６】
【特許文献１】
特開平１０−２０１５３８号公報（第２頁）
【特許文献２】
特開平６−１４１９２３号公報（第５頁）
【特許文献３】
特開平８−１７３２４４号公報（第１〜３頁）
【０００７】
【発明が解決しようとする課題】
本発明は、上述した従来技術におけるの問題点の解決を目的として検討した結果、達成されたものである。
【０００８】
したがって、本発明の目的は、ポリエステル系樹脂の吸水時の弾性変化が小さい点や、耐久性が優れるという特性を維持しつつ、しかも適度な柔軟性を備えたブラシ用材、およびこの毛材を用いた歯ブラシ、化粧ブラシ、ボデイブラシなどのトイレタリー用ブラシおよび画筆や毛筆などの筆具などを提供することにある。
【０００９】
【課題を解決するための手段】
上記の目的を達成するため、本発明のブラシ用毛材は、ポリプロピレンテレフタレート５〜４５重量％およびポリプロピレンテレフタレート以外のポリエステル系樹脂９５〜５５重量％を混合して溶融紡糸したモノフィラメントブリッスルから成ることを特徴とする。
【００１０】
本発明のブラシ用毛材においては、ポリプロピレンテレフタレート以外のポリエステル系樹脂がポリブチレンテレフタレートである場合に、特に優れた性能を発揮する。
【００１１】
また、本発明のブラシ用毛材は、少なくとも片端をテーパー形状とすることでブラシの性能をさらに向上させることが可能である。
【００１２】
そして、本発明のブラシ用毛材は、歯ブラシ、化粧ブラシ、ボデイブラシなどのトイレタリー用ブラシおよび画筆や毛筆などの筆具などの用途に適用した場合に最良の効果を発揮する。
【００１３】
【発明の実施の形態】
以下に、本発明のブラシ用毛材およびその用途についてさらに詳細に説明する。
【００１４】
本発明のブラシ用毛材を構成する一成分であるポリプロピレンテレフタレートとは、実質的にテレフタル酸と１，３プロパンジオールを縮重合して得られるポリマであるが、テレフタル酸および１，３プロパンジオールの一部を、当業界で良く知られる２，６−ナフタレンジカルボン酸、イソフタル酸、１，４−シクロヘキサンジカルボン酸、アジピン酸、セバシン酸、ダイマー酸、スルホン酸金属塩置換イソフタル酸などのジカルボン酸成分、およびエチレングリコール、１，４−ブタンジオール、ジエチレングリコール、１，４−シクロヘキサンジメタノール、１，４−シクロヘキサンジオール、ポリアルキレングリコールなどグリコール成分で置き換えた共重合ポリエステルであってもよい。
【００１５】
また、本発明のブラシ用毛材を構成する他の一成分であるポリプロピレンテレフタレート以外のポリエステル系樹脂の具体例としては、ポリエチレンテレフタレート、ポリブチレンテレフタレート、ポリナフタレンテレフタレートなどの芳香族ポリエステル、およびポリ乳酸、ポリブチレンサクシネートなどの脂肪族ポリエステルなどが挙げられるが、なかでもポリブチレンテレフタレートが好ましく使用される。
【００１６】
本発明のブラシ用毛材は、ポリプロピレンテレフタレートとポリプロピレンテレフタレート以外のポリエステル系樹脂とを、後述の比率で混合した上、通常の方法で溶融紡糸し、得られたモノフィラメントを集束させ、この糸束を所望長さにカットしてモノフィラメントブリッスルとすることにより作成される。
【００１７】
また、本発明のブラシ用毛材には、本来の目的を阻害しない範囲であれば、耐熱剤、耐候剤、可塑剤および着色剤などの慣用の添加剤を含有させることができる。
ここで、樹脂の混合比率は、ポリプロピレンテレフタレート５〜４５重量％、特に１０〜３０重量％に対し、ポリプロピレンテレフタレート以外のポリエステル系樹脂９５〜５５％、特に９０〜７０重量％の割合とすることが重要であり、この範囲内で用途に適した比率を選定する必要がある。ポリプロピレンテレフタレートの比率が上記の範囲未満の場合は、毛腰の改良効果が得られず、また上記の範囲を越えると、柔軟になり過ぎるばかりか、歯ブラシにおいては歯の表面清掃性や歯間挿入性が不足するとともに使用者の清掃感が低下することになるため好ましくない。
【００１８】
本発明のブラシ用毛材の断面形状は、丸断面に限ったものではなく、その用途によっては、楕円形、多角形、多葉形および中空などから適宜選定することにより、清掃性の向上や、保水性の向上などの付加的な効果を与えることが可能である。
【００１９】
また、本発明のブラシ用毛材の単糸は、一般には直線状であるが、これをクリンプ加工することで波状としたり、表面凹凸を与えたりすることによって、保水性の向上や、清掃性の向上をはかることも可能である。
【００２０】
そして、本発明のブラシ用毛材は、素材がポリエステル系樹脂であることから、公知の方法を用いて毛材の先端をアルカリで溶解させることによって、尖鋭なテーパー形状を形成することが可能である。毛材先端を尖鋭なテーパー形状にすることにより、毛筆用途に使用できるとともに、歯ブラシ用途においては歯間挿入性が飛躍的に向上し、化粧ブラシやボディブラシ用途においても、皮膚へのソフトな感触が得られることになる。
【００２１】
上記したように、本発明のブラシ用毛材は、吸水による弾性変化や、耐久性がポリアミドより優れるという特性を維持しつつ、しかも適度な柔軟性を備えるという優れた特性を有していることから、歯ブラシに代表されるトイレタリー用ブラシや、画筆、毛筆などの筆具毛材、およびフェイスブラシ、チークブラシ、マニキュアブラシ、アイライナーなどの化粧用ブラシ、さらにはボディブラシに適用した場合に最良の効果を発現する。
【００２２】
なお、本発明のブラシ用毛材は、上記の用途以外にも、食品洗浄ブラシ、食器洗浄ブラシ、車両洗浄ブラシなどのクリーニングブラシ用途、ペイントブラシ用途、複写機の除電ブラシ用途および清掃ブラシ用途などのブラシ分野へ広く適用することが可能である。
【００２３】
【実施例】
次に、実施例により本発明を具体的に説明する。
［実施例１］
十分に予備乾燥したポリブチレンテレフタレート（東レ（株）製　東レＰＢＴ１２００Ｓ）を７５重量％、ポリプロピレンテレフタレート（Ｓｈｅｌｌ　Ｃｈｅｍｉｃａｌｓ製“ＣＯＲＴＥＲＲＡ　ＣＰ５１３０００”）を２５重量％の割合で混合し、均一に分散するまで撹拌した後、押出し機に投入し、２７０℃に加熱溶融させた樹脂を口径０．８ｍｍの円形状のノズルから押し出し、直ちに４０℃の温水中で冷却、続いて６０℃の温水、さらには１３０℃乾熱下で合計４．５倍に延伸しした。次いで、この延伸糸を１８０℃の乾熱下で０．９５倍に熱セットすることによって、直径０．１８ｍｍのモノフィラメントを得た。
【００２４】
上記のモノフィラメントを集束し、周囲に紙テープをまいて直径５０ｍｍの毛束とし、さらに３０ｍｍの長さに切断してブラシ用毛材とした。
［実施例２］
実施例１で作成したモノフィラメント毛材束を水酸化ナトリウム溶液に浸漬して、束の両端を減量加工し、水洗、乾燥することにより、両端が尖鋭なテーパー形状であるブラシ用毛材を得た。
［比較例１］
ポリアミド６・１０（東レ（株）製　Ｍ２００１）を用い、以下実施例１と同一の方法によりブラシ用毛材を得た。
［比較例２］
実施例１と同じ原料を用い、混合比を、ポリプロピレンテレフタレート５０重量％、ポリブチレンテレフタレート５０重量％とし、以下実施例１と同一の方法によりブラシ用毛材を得た。
［比較例３］
原料をポリブチレンテレフタレートのみとし、以下実施例１と同一の方法によりブラシ用毛材を得た。
【００２５】
上記の各毛材を同一形状である３４穴の歯ブラシハンドルに毛丈１１ｍｍになるように植毛して歯ブラシを作成し、各歯ブラシの性能について、次の方法により評価した。
［耐久性評価］
歯ブラシに対し、歯ブラシ摺動面裏側から垂直に５００ｇの荷重をかけ、３７℃の温水を滴下させた状態で、ステンレス製の波板に対して歯ブラシの長手方向に２００００回摺動運動をさせ、ブラシ部の毛開き率（Ｋ）を測定した。毛開き率の算出方法は、初期状態におけるブラシ部摺動面の横幅をＡｍｍ、摺動後の横幅をＢｍｍとしたとき、Ｋ＝（Ｂ−Ａ）／Ａ×１００（％）とした。
［清掃性評価］
歯ブラシに対し、歯ブラシ摺動面裏側から垂直に１５０ｇの荷重をかけて、仮想汚れを塗布したステンレス製凹凸板に対して、振幅１０ｍｍ、スピード１８０ｒｐｍで５０００回摺動させ、仮想汚れの除去率を測定した。汚れ除去率は、凸部表面と、２つの凸部の隙間にあたる凹部の２種について算出した。
［使用感調査］
歯ブラシを、成人２０名に１種類あたり５日間使用してもらい、使用感、特に歯茎への刺激について回答を得た。評価基準は次の通りである。
◎：「非常に良い」
○：「良い」
△：「普通」
×：「悪い」
以上の評価結果を表１に示す。
【００２６】
【表１】
2004141504.tif 000002
【００２７】
表１の結果から明らかなように、本発明のブラシ用毛材を植毛した歯ブラシ（実施例１）は、ポリアミド６・１０の場合（比較例１）に比べて、清掃性や使用感は同等であり、しかも耐久性が向上していることがわかる。さらに、ポリブチレンテレフタレートのみの場合（比較例３）と比較すると、その毛腰の硬さによって損なわれていた使用感が改善されている。逆に、ポリプロピレンテレフタレートを５０重量％とした場合（比較例２）は、毛腰が過度に柔軟となるため、清掃性、特に凹部への挿入性が不十分になるとともに、十分な使用感が与えられないものとなる。
【００２８】
また、実施例２は、実施例１の毛材の端を尖鋭なテーパー形状としたものであるが、これによって、清掃性、特に凹部への挿入性がさらに向上するとともに、毛先の柔軟性が出るため使用感も非常に良いものとなった。
【００２９】
【発明の効果】
以上説明したように、本発明のブラシ用毛材は、従来のポリアミド製ブラシ毛材と同等の柔軟性を持ち、しかも耐久性が優れるという特性を有することから、歯ブラシをはじめとするトイレタリー用ブラシ毛材、筆具毛材、化粧ブラシ、ボディブラシとして適用した場合に、最良の効果を発揮する。
【００３０】
特に歯ブラシに適用した場合には、清掃性や使用感を損なわずに耐久性を著しく向上させることができる。